(57)【要約】  本発明の実施例において、第１セルから送信された、第１セルと第２セルとを合併することを指示するためのセル合併指示を受信し、セル合併指示に基づき、第２セルのセルパラメータを維持するとともに、第１セルのセルパラメータを維持し、第２セルがサーブしているユーザ機器ＵＥを第１の影セルに切り替え、切り替えられたＵＥの情報を第１セルに同期させ、第２セルがサーブしている全てのＵＥを第１の影セルに切り替え、且つ切り替えられた全てのＵＥの情報が第１セルに同期されたことを確認すると、第２セルのセルパラメータの維持を停止するセル合併・分割方法、装置および基地局を提供する。ここで、第１の影セルは、第２セルが維持する、第１セルのセルパラメータを有するセルである。本発明における実施例により、できるだけ多くのＵＥが最適な状態およびトラフィック効果に達することが効果的に確保される。【選択図】図２
2019533370.tif 000002
【特許請求の範囲】
【請求項１】
第１セルから送信された、前記第１セルと第２セルとを合併することを指示するためのセル合併指示を受信することと、
前記セル合併指示に基づき、前記第２セルのセルパラメータを維持するとともに、前記第１セルのセルパラメータを維持することと、
前記第２セルがサーブしているユーザ機器ＵＥを第１の影セルに切り替え、切り替えられたＵＥの情報を前記第１セルに同期させることと、
前記第２セルがサーブしている全てのＵＥを前記第１の影セルに切り替え、且つ切り替えられた全てのＵＥの情報が前記第１セルに同期されたことを確認すると、前記第２セルのセルパラメータの維持を停止することと、を含み
前記第１の影セルは、前記第２セルが維持する、前記第１セルのセルパラメータを有するセルである、セル合併方法。
【請求項２】
前記第１セルから送信された、前記第１セルと前記第２セルとを合併することを指示するための前記セル合併指示を受信する前に、
前記第１セルから送信された、前記第１セルと前記第２セルとを合併することを要求するためのセル合併要求を受信することと、
前記第１セルに、前記第２セルのセル情報が担持されるセル合併応答を送信することと、を更に含み、
前記セル情報は、前記第２セルが前記第１セルとセル合併する合併条件を満たすか否かを、前記第１セルによって判断することに用いられる、請求項１に記載の方法。
【請求項３】
前記セル情報は、
前記第２セルがサーブしているＵＥの数、前記第２セルに所定のＵＥレベルを満たす高優先度ＵＥが存在するか否かを指示するための指示情報、および、前記第２セルの、他のセルからの同一周波数干渉に影響される程度を表示するための情報の少なくとも１つを含む、請求項２に記載の方法。
【請求項４】
前記第１セルに前記セル合併応答を送信した後に、
前記第１セルによって、１つまたは複数の前記第２セルから送信されたセル合併応答に基づき、前記１つまたは複数の第２セルが前記第１セルと合併する所定の合併条件を満たすか否かを判断し、判断の結果が「ＹＥＳ」である場合、前記第１セルによって、前記１つまたは複数の第２セルに前記セル合併指示を送信することを更に含む、請求項２に記載の方法。
【請求項５】
前記第１セルから送信された、前記第１セルと前記第２セルとを合併することを要求するためのセル合併要求を受信する前に、
前記第１セルによって、所定のＵＥレベルを満たす高優先度ＵＥが前記第１セルに入ったことと、前記第１セルの同一周波数干渉の程度が所定の程度に達したことと、前記第１セルがサーブしているＵＥの数は所定のしきい値を超えたことと、のうちのすくなくとも１つが合併トリガ条件として満たされたか否かを判断し、判断の結果が「ＹＥＳ」である場合、前記第２セルに、前記第１セルと前記第２セルとを合併することを要求するための前記セル合併要求を送信することを更に含む、請求項２に記載の方法。
【請求項６】
合併セルのプライマリセルポーションＣＰから送信された、セカンダリーＣＰを前記合併セルから分割することを要求するためのセル分割指示を受信することと、
前記セル分割指示に基づき、前記合併セルのセルパラメータを維持するとともに、前記合併セルから分割された分割セルのセルパラメータを維持することと、
前記セカンダリーＣＰがサーブしているユーザ機器ＵＥを第２の影セルに切り替えることと、
前記セカンダリーＣＰがサーブしている全てのＵＥを前記第２の影セルに切り替えた後に、前記合併セルのセルパラメータの維持を停止することと、を含み、
前記第２の影セルは、前記セカンダリーＣＰが維持する、前記分割セルのセルパラメータを有するセルである、セル分割方法。
【請求項７】
前記合併セルの前記プライマリＣＰから送信された、前記セカンダリーＣＰを前記合併セルから分割することを要求するための前記セル分割指示を受信する前に、
前記プライマリＣＰによって、前記セカンダリーＣＰがサーブしているＵＥを確定し、確定された前記セカンダリーＣＰがサーブしているＵＥの情報を前記セカンダリーＣＰに送信することを更に含む、請求項６に記載の方法。
【請求項８】
前記合併セルの前記プライマリＣＰから送信された、前記セカンダリーＣＰを前記合併セルから分割することを要求するための前記セル分割指示を受信する前に、
前記プライマリＣＰによって、所定のＵＥレベルを満たす高優先度ＵＥが前記合併セルから離れたことと、前記合併セルの同一周波数干渉の程度が所定の程度よりも低いことと、前記合併セルがサーブしているＵＥの数は所定のしきい値よりも低いことと、のうちのすくなくとも１つを分割トリガ条件として前記合併セルが満たしたか否かを判断し、判断の結果が「ＹＥＳ」である場合、前記セカンダリーＣＰに、前記セカンダリーＣＰを前記合併セルから分割することを要求するための前記セル分割指示を送信することを更に含む、請求項６に記載の方法。
【請求項９】
第１セルから送信された、前記第１セルと第２セルとを合併することを指示するためのセル合併指示を受信するように構成される第１の受信モジュールと、
前記セル合併指示に基づき、前記第２セルのセルパラメータを維持するとともに、前記第１セルのセルパラメータを維持するように構成される第１の維持モジュールと、
前記第２セルがサーブしているユーザ機器ＵＥを第１の影セルに切り替え、切り替えられたＵＥの情報を前記第１セルに同期させるように構成される第１の切替モジュールと、
前記第２セルがサーブしている全てのＵＥを前記第１の影セルに切り替え、且つ切り替えられた全てのＵＥの情報が前記第１セルに同期されたことを確認すると、前記第２セルのセルパラメータの維持を停止するように構成される第１の停止モジュールと、を備え、
前記第１の影セルは、前記第２セルが維持する、前記第１セルのセルパラメータを有するセルである、セル合併装置。
【請求項１０】
前記第１セルから送信された、前記第１セルと前記第２セルとを合併することを要求するためのセル合併要求を受信するように構成される第２の受信モジュールと、
前記第１セルに、前記第２セルのセル情報が担持されるセル合併応答を送信するように構成される第１の送信モジュールと、を更に備え、
前記セル情報は、前記第２セルが前記第１セルとセル合併する合併条件を満たすか否かを、前記第１セルによって判断することに用いられる、請求項９に記載の装置。
【請求項１１】
前記第１セルによって、１つまたは複数の前記第２セルから送信されたセル合併応答に基づき、前記１つまたは複数の第２セルが前記第１セルと合併する所定の合併条件を満たすか否かを判断し、判断の結果が「ＹＥＳ」である場合、前記第１セルによって、前記１つまたは複数の第２セルに前記セル合併指示を送信するように構成される第１の判断モジュール、を更に備える、
請求項１０に記載の装置。
【請求項１２】
前記第１セルによって、所定のＵＥレベルを満たす高優先度ＵＥが前記第１セルに入ったことと、前記第１セルの同一周波数干渉の程度が所定の程度に達したことと、前記第１セルがサーブしているＵＥの数は所定のしきい値を超えたことと、のうちのすくなくとも１つを分割トリガ条件として前記合併セルが満たしたか否かを判断し、判断の結果が「ＹＥＳ」である場合、前記第２セルに、前記第１セルと前記第２セルとを合併することを要求するための前記セル合併要求を送信するように構成される第２の判断モジュール、を更に備える、
請求項１０に記載の装置。
【請求項１３】
合併セルのプライマリセルポーションＣＰから送信された、セカンダリーＣＰを前記合併セルから分割することを要求するためのセル分割指示を受信するように構成される第３の受信モジュールと、
前記セル分割指示に基づき、前記合併セルのセルパラメータを維持するとともに、前記合併セルから分割された分割セルのセルパラメータを維持するように構成される第２の維持モジュールと、
前記セカンダリーＣＰがサーブしているユーザ機器ＵＥを第２の影セルに切り替えるように構成される第２の切替モジュールと、
前記セカンダリーＣＰがサーブしている全てのＵＥを前記第２の影セルに切り替えた後に、前記合併セルのセルパラメータの維持を停止するように構成される第２の停止モジュールと、を備え、
前記第２の影セルは、前記セカンダリーＣＰが維持する、前記分割セルのセルパラメータを有するセルである、セル分割装置。
【請求項１４】
前記プライマリＣＰによって、前記セカンダリーＣＰがサーブしているＵＥを確定し、確定された前記セカンダリーＣＰがサーブしているＵＥの情報を前記セカンダリーＣＰに送信するように構成される第２の送信モジュール、を更に備える、
請求項１３に記載の装置。
【請求項１５】
前記プライマリＣＰによって、所定のＵＥレベルを満たす高優先度ＵＥが前記合併セルから離れたことと、前記合併セルの同一周波数干渉の程度が所定の程度よりも低いことと、前記合併セルがサーブしているＵＥの数は所定のしきい値よりも低いことと、のうちのすくなくとも１つを分割トリガ条件として前記合併セルが満たしたか否かを判断し、判断の結果が「ＹＥＳ」である場合、前記セカンダリーＣＰに、前記セカンダリーＣＰを前記合併セルから分割することを要求するための前記セル分割指示を送信するように構成される第３の判断モジュール、を更に備える、
請求項１３に記載の装置。
【請求項１６】
請求項９から１２のいずれか１項に記載の装置、および／または、
請求項１３から１５のいずれか１項に記載の装置を備える、基地局。
【請求項１７】
記憶されるプログラムを備える記憶媒体であって、前記プログラムが動作されると、請求項１から８のいずれか１項に記載の方法を実行する、記憶媒体。
【発明の詳細な説明】
【技術分野】
【０００１】
本発明は通信分野に関し、具体的には、セル合併・分割方法、装置および基地局に関する。
【背景技術】
【０００２】
３ＧＰＰロングタームエボリューション（Ｌｏｎｇ  Ｔｅｒｍ  Ｅｖｏｌｕｔｉｏｎ、ＬＴＥと略称される）システムにおいて、より優れたネットワーク性能を取得するために、マルチセルコラボレーション（Ｍｕｌｔｉ−ｃｅｌｌ  Ｃｏｌｌａｂｏｒａｔｉｏｎ）は次世代無線通信分野において広く注目されている技術となる。ここで、セル合併・分割技術は、同一周波数干渉および頻繁な切り替えの問題を回避するための最適な選択となった。該技術は、１つの論理セル内に複数のラジオリモートユニット（Ｒａｄｉｏ  Ｒｅｍｏｔｅ  Ｕｎｉｔ、ＲＲＵと略称される）を集約することを実現でき、このようなネットワーク構成の場合、各ＲＲＵのカバーエリアがセルポーション（Ｃｅｌｌ  Ｐｏｒｔｉｏｎ、ＣＰと略称される）と呼ばれる。ユーザ端末が同じ論理セルの異なるＲＲＵのカバーエリアで移動する時に、切り替えは発生せず、移動性の問題を１つのＣＰの検出およびスケジューリングの問題に変える。基地局側の検出およびスケジューリングにより、ネットワークの切替中のエラー発生率を低減させ、ネットワークの性能指標（Ｋｅｙ  Ｐｅｒｆｏｒｍａｎｃｅ  Ｉｎｄｉｃａｔｏｒ、ＫＰＩと略称される）を向上させる。
【０００３】
セル合併・分割は、通常、高速鉄道、航路、ビル密集地帯等の場合に適用される。関連技術において、セル合併は適用場合に応じて設定され、操作者によるネット管理の設定により有効されるがある。いくつかのセルが合併されると、これら元のセルが削除され、合併セルのパラメータに基づいて再設定される。上記のことから、ユーザ機器ＵＥ（Ｕｓｅｒ  Ｅｑｕｉｐｍｅｎｔ、ＵＥと略称される）がアクセスされているセルは合併されると、ＵＥは、セルの削除により解放される。逆に、関連技術では、マルチセルの動的な分割を実現できず、手動による分割は同様にＵＥを解放する。
【０００４】
このため、関連技術において、マルチセルは、合併・分割においてＵＥを解放し、ＵＥの状態およびトラフィックが確保できなくなる。
【発明の概要】
【発明が解決しようとする課題】
【０００５】
本発明の実施例は、ネットワーク性能を向上させ、同一周波数干渉を小さくさせ、関連技術におけるマルチセルが合併・分割においてＵＥを解放させ、ＵＥの状態およびトラフィックが確保できないという問題を解決するためのセル合併方法、装置よび基地局を提供する。
【課題を解決するための手段】
【０００６】
本発明の一実施例によれば、第１セルから送信された、前記第１セルと第２セルとを合併することを指示するためのセル合併指示を受信することと、前記セル合併指示に基づき、前記第２セルのセルパラメータを維持するとともに、前記第１セルのセルパラメータを維持することと、前記第２セルがサーブしているユーザ機器ＵＥを第１の影セルに切り替え、切り替えられたＵＥの情報を前記第１セルに同期させることと、前記第２セルがサーブしている全てのＵＥを前記第１の影セルに切り替え、且つ切り替えられた全てのＵＥの情報が前記第１セルに同期されたことを確認すると、前記第２セルのセルパラメータの維持を停止することとを含み、第１の影セルは、第２セルが維持する、第１セルのセルパラメータを有するセルである、セル合併方法を提供する。
【０００７】
好ましくは、前記第１セルから送信された、前記第１セルと前記第２セルとを合併することを指示するための前記セル合併指示を受信する前に、前記第１セルから送信された前記第１セルと前記第２セルとを合併することを要求するためのセル合併要求を受信することと、前記第１セルに、前記第２セルのセル情報が担持されるセル合併応答を送信することとを更に含み、前記セル情報は、前記第２セルが前記第１セルとセル合併する合併条件を満たすか否かを、前記第１セルによって判断することに用いられる。
【０００８】
好ましくは、前記セル情報は、前記第２セルがサーブしているＵＥの数、前記第２セルに所定のＵＥレベルを満たす高優先度ＵＥが存在するか否かを指示するための指示情報、および前記第２セルの、他のセルからの同一周波数干渉に影響される程度を表示するための情報の少なくとも１つを含む。
【０００９】
好ましくは、前記第１セルに前記セル合併応答を送信した後に、前記第１セルによって、１つまたは複数の前記第２セルから送信されたセル合併応答に基づき、前記１つまたは複数の第２セルが前記第１セルと合併する所定の合併条件を満たすか否かを判断し、判断の結果が「ＹＥＳ」である場合、前記第１セルによって、前記１つまたは複数の第２セルに前記セル合併指示を送信することを更に含む。
【００１０】
好ましくは、前記第１セルから送信された、前記第１セルと前記第２セルとを合併することを要求するためのセル合併要求を受信する前に、前記第１セルによって、所定のＵＥレベルを満たす高優先度ＵＥが前記第１セルに入ったことと、前記第１セルの同一周波数干渉の程度が所定の程度に達したことと、前記第１セルがサーブしているＵＥの数は所定のしきい値を超えたことと、のうちのすくなくとも１つが合併トリガ条件として満たされたか否かを判断し、判断の結果が「ＹＥＳ」である場合、前記第２セルに、前記第１セルと前記第２セルとを合併することを要求するための前記セル合併要求を送信することを更に含む。
【００１１】
本発明の一実施例によれば、合併セルのプライマリセルポーションＣＰから送信された、セカンダリーＣＰを前記合併セルから分割することを要求するためのセル分割指示を受信することと、前記セル分割指示に基づき、前記合併セルのセルパラメータを維持するとともに、前記合併セルから分割された分割セルのセルパラメータを維持することと、前記セカンダリーＣＰがサーブしているユーザ機器ＵＥを第２の影セルに切り替えることと、前記セカンダリーＣＰがサーブしている全てのＵＥを前記第２の影セルに切り替えた後に、前記合併セルのセルパラメータの維持を停止することとを含み、前記第２の影セルは、前記セカンダリーＣＰが保管する前記分割セルのセルパラメータを有するセルである、セル分割方法を提供する。
【００１２】
好ましくは、前記合併セルの前記プライマリＣＰから送信された、前記セカンダリーＣＰを前記合併セルから分割することを要求するための前記セル分割指示を受信する前に、前記プライマリＣＰによって、前記セカンダリーＣＰがサーブしているＵＥを確定し、確定された前記セカンダリーＣＰがサーブしているＵＥの情報を前記セカンダリーＣＰに送信することを更に含む。
【００１３】
好ましくは、前記合併セルの前記プライマリＣＰから送信された、前記セカンダリーＣＰを前記合併セルから分割することを要求するための前記セル分割指示を受信する前に、前記プライマリＣＰによって、所定のＵＥレベルを満たす高優先度ＵＥが前記合併セルから離れたことと、前記合併セルの同一周波数干渉の程度が所定の程度よりも低いことと、前記合併セルがサーブしているＵＥの数は所定のしきい値よりも低いことと、のうちのすくなくとも１つを分割トリガ条件として前記合併セルが満たしたか否かを判断し、判断の結果が「ＹＥＳ」である場合、前記セカンダリーＣＰに、前記セカンダリーＣＰを前記合併セルから分割することを要求するための前記セル分割指示を送信することを更に含む。
【００１４】
本発明の一実施例によれば、第１セルから送信された、前記第１セルと第２セルとを合併することを指示するためのセル合併指示を受信するように構成される第１の受信モジュールと、前記セル合併指示に基づき、前記第２セルのセルパラメータを維持するとともに、前記第１セルのセルパラメータを維持するように構成される第１の維持モジュールと、前記第２セルがサーブしているユーザ機器ＵＥを第１の影セルに切り替え、切り替えられたＵＥの情報を前記第１セルに同期させるように構成される第１の切替モジュールと、前記第２セルがサーブしている全てのＵＥを前記第１の影セルに切り替え、且つ切り替えられた全てのＵＥの情報が前記第１セルに同期されたことを確認すると、前記第２セルのセルパラメータの維持を停止するように構成される第１の停止モジュールとを備えるセル合併装置を提供する。ここで、前記第１の影セルは、前記第２セルが維持する、前記第１セルのセルパラメータを有するセルである。
【００１５】
好ましくは、該装置は、前記第１セルから送信された、前記第１セルと前記第２セルとを合併することを要求するためのセル合併要求を受信するように構成される第２の受信モジュールと、前記第１セルに、前記第２セルのセル情報が担持されるセル合併応答を送信するように構成される第１の送信モジュールとを更に備える。ここで、前記セル情報は、前記第２セルが前記第１セルとセル合併する合併条件を満たすか否かを、前記第１セルによって判断することに用いられる。
【００１６】
好ましくは、該装置は、前記第１セルによって、１つまたは複数の前記第２セルから送信されたセル合併応答に基づき、前記１つまたは複数の第２セルが前記第１セルと合併する所定の合併条件を満たすか否かを判断し、判断の結果が「ＹＥＳ」である場合、前記第１セルによって、前記１つまたは複数の第２セルに前記セル合併指示を送信するように構成される第１の判断モジュールを更に備える。
【００１７】
好ましくは、該装置は、前記第１セルによって、所定のＵＥレベルを満たす高優先度ＵＥが前記第１セルに入ったことと、前記第１セルの同一周波数干渉の程度が所定の程度に達したことと、前記第１セルがサーブしているＵＥの数は所定のしきい値を超えたことと、のうちのすくなくとも１つが合併トリガ条件として満たされたか否かを判断し、判断の結果が「ＹＥＳ」である場合、前記第２セルに、前記第１セルと前記第２セルとを合併することを要求するための前記セル合併要求を送信するように構成される第２の判断モジュールを更に備える。
【００１８】
本発明の別の実施例によれば、合併セルのプライマリセルポーションＣＰから送信された、セカンダリーＣＰを前記合併セルから分割することを要求するためのセル分割指示を受信するように構成される第３の受信モジュールと、前記セル分割指示に基づき、前記合併セルのセルパラメータを維持するとともに、前記合併セルから分割された分割セルのセルパラメータを維持するように構成される第２の維持モジュールと、前記セカンダリーＣＰがサーブしているユーザ機器ＵＥを第２の影セルに切り替えるように構成される第２の切替モジュールと、前記セカンダリーＣＰがサーブしている全てのＵＥを前記第２の影セルに切り替えた後に、前記合併セルのセルパラメータの維持を停止するように構成される第２の停止モジュールとを備えるセル分割装置を提供する。ここで、前記第２の影セルは、前記セカンダリーＣＰが維持する、前記分割セルのセルパラメータを有するセルである。
【００１９】
好ましくは、該装置は、前記プライマリＣＰによって、前記セカンダリーＣＰがサーブしているＵＥを確定し、確定された前記セカンダリーＣＰがサーブしているＵＥの情報を前記セカンダリーＣＰに送信するように構成される第２の送信モジュールを更に備える。
【００２０】
好ましくは、該装置は、前記プライマリＣＰによって、所定のＵＥレベルを満たす高優先度ＵＥが前記合併セルから離れたことと、前記合併セルの同一周波数干渉の程度が所定の程度よりも低いことと、前記合併セルがサーブしているＵＥの数は所定のしきい値よりも低いことと、のうちのすくなくとも１つを分割トリガ条件として前記合併セルが満たしたか否かを判断し、判断の結果が「ＹＥＳ」である場合、前記セカンダリーＣＰに、前記セカンダリーＣＰを前記合併セルから分割することを要求するための前記セル分割指示を送信するように構成される第３の判断モジュールを更に備える。
【００２１】
本発明の別の実施例によれば、上記いずれか１項に記載の装置を備える基地局を更に提供する。
【００２２】
本発明の更なる実施例によれば、記憶媒体を更に提供する。該記憶媒体は、第１セルから送信された、前記第１セルと第２セルとを合併することを指示するためのセル合併指示を受信するステップと、前記セル合併指示に基づき、前記第２セルのセルパラメータを維持するとともに、前記第１セルのセルパラメータを維持するステップと、前記第２セルがサーブしているユーザ機器ＵＥを第１の影セルに切り替え、切り替えられたＵＥの情報を前記第１セルに同期させるステップと、前記第２セルがサーブしている全てのＵＥを前記第１の影セルに切り替え、且つ切り替えられた全てのＵＥの情報が前記第１セルに同期されたことを確認すると、前記第２セルのセルパラメータの維持を停止するステップとを実行するためのプログラムコードを記憶するように構成される。ここで、第１の影セルは、第２セルが維持する、第１セルのセルパラメータを有するセルである。
【００２３】
好ましくは、記憶媒体は、更に、前記第１セルから送信された、前記第１セルと前記第２セルとを合併することを指示するための前記セル合併指示を受信する前に、前記第１セルから送信された前記第１セルと前記第２セルとを合併することを要求するためのセル合併要求を受信することと、前記第１セルに、前記第２セルのセル情報が担持されるセル合併応答を送信することとを更に含むステップを実行するためのプログラムコードを記憶するように構成される。ここで、前記セル情報は、前記第２セルが前記第１セルとセル合併する合併条件を満たすか否かを、前記第１セルによって判断することに用いられる。
【００２４】
好ましくは、記憶媒体は、更に、前記セル情報は、前記第２セルがサーブしているＵＥの数、前記第２セルに所定のＵＥレベルを満たす高優先度ＵＥが存在するか否かを指示するための指示情報、および前記第２セルの、他のセルからの同一周波数干渉に影響される程度を表示するための情報の少なくとも１つを含むステップを実行するためのプログラムコードを記憶するように構成される。
【００２５】
好ましくは、記憶媒体は、更に、前記第１セルに前記セル合併応答を送信した後に、前記第１セルによって、１つまたは複数の前記第２セルから送信されたセル合併応答に基づき、前記１つまたは複数の第２セルが前記第１セルと合併する所定の合併条件を満たすか否かを判断し、判断の結果が「ＹＥＳ」である場合、前記第１セルによって、前記１つまたは複数の第２セルに前記セル合併指示を送信することを更に含むステップを実行するためのプログラムコードを記憶するように構成される。
【００２６】
好ましくは、記憶媒体は、更に、前記第１セルから送信された、前記第１セルと前記第２セルとを合併することを要求するためのセル合併要求を受信する前に、前記第１セルによって、所定のＵＥレベルを満たす高優先度ＵＥが前記第１セルに入ったことと、前記第１セルの同一周波数干渉の程度が所定の程度に達したことと、前記第１セルがサーブしているＵＥの数は所定のしきい値を超えたこととのうちのすくなくとも１つが合併トリガ条件として満たされたか否かを判断し、判断の結果が「ＹＥＳ」である場合、前記第２セルに前記第１セルと前記第２セルとを合併することを要求するための前記セル合併要求を送信するステップを実行するためのプログラムコードを記憶するように構成される。
【００２７】
本発明の更なる実施例によれば、記憶媒体を更に提供する。該記憶媒体は、合併セルのプライマリセルポーションＣＰから送信された、セカンダリーＣＰを前記合併セルから分割することを要求するためのセル分割指示を受信するステップと、前記セル分割指示に基づき、前記合併セルのセルパラメータを維持するとともに、前記合併セルから分割された分割セルのセルパラメータを維持するステップと、前記セカンダリーＣＰがサーブしているユーザ機器ＵＥを第２の影セルに切り替えるステップと、前記セカンダリーＣＰがサーブしている全てのＵＥを前記第２の影セルに切り替えた後に、前記合併セルのセルパラメータの維持を停止するステップとを実行するためのプログラムコードを記憶するように構成される。ここで、前記第２の影セルは、前記セカンダリーＣＰが維持する、前記分割セルのセルパラメータを有するセルである。
【００２８】
好ましくは、記憶媒体は、更に、前記合併セルの前記プライマリＣＰから送信された、前記セカンダリーＣＰを前記合併セルから分割することを要求するための前記セル分割指示を受信する前に、前記プライマリＣＰによって、前記セカンダリーＣＰがサーブしているＵＥを確定し、確定された前記セカンダリーＣＰがサーブしているＵＥの情報を前記セカンダリーＣＰに送信することを更に含むステップを実行するためのプログラムコードを記憶するように構成される。
【００２９】
好ましくは、記憶媒体は、更に、前記合併セルの前記プライマリＣＰから送信された、前記セカンダリーＣＰを前記合併セルから分割することを要求するための前記セル分割指示を受信する前に、前記プライマリＣＰによって、所定のＵＥレベルを満たす高優先度ＵＥが前記合併セルから離れたことと、前記合併セルの同一周波数干渉の程度が所定の程度よりも低いことと、前記合併セルがサーブしているＵＥの数は所定のしきい値よりも低いことと、のうちのすくなくとも１つを分割トリガ条件として前記合併セルが満たしたか否かを判断し、判断の結果が「ＹＥＳ」である場合、前記セカンダリーＣＰに前記セカンダリーＣＰを前記合併セルから分割することを要求するための前記セル分割指示を送信することを更に含むステップを実行するためのプログラムコードを記憶するように構成される。
【発明の効果】
【００３０】
本発明により、第１セルから送信された前記第１セルと第２セルとを合併することを指示するためのセル合併指示を受信し、前記セル合併指示に基づき、前記第２セルのセルパラメータを維持するとともに、前記第１セルのセルパラメータを維持し、前記第２セルがサーブしているユーザ機器ＵＥを第１の影セルに切り替え、切り替えられたＵＥの情報を前記第１セルに同期させ、前記第１の影セルは、前記第２セルが維持する、前記第１セルのセルパラメータを有するセルであり、前記第２セルがサーブしている全てのＵＥを前記第１の影セルに切り替え、且つ切り替えられた全てのＵＥの情報が前記第１セルに同期されたことを確認すると、前記第２セルのセルパラメータの維持を停止する。上記形態を採用し、セル合併を行う過程において、合併待ちのセルは本セルのセルパラメータを維持するだけでなく、それと合併しようとするセルのセルパラメータも維持し、且つ、合併待ちのセルの全てのＵＥを合併セルに切り替えると、本セルのセルパラメータの維持を停止する。関連技術におけるマルチセルが合併においてＵＥを解放させ、ＵＥの状態およびトラフィックが確保できないという問題を効果的に解決し、マルチセルが合併においてＵＥを解放しないことを達成し、できるだけ多くのＵＥが最適な状態およびトラフィック効果に達することを効果的に確保する。
【図面の簡単な説明】
【００３１】
ここで説明する図面は、本発明に対する更なる理解を提供するためのものであり、本願の一部を構成し、本発明の模式的な実施例およびその説明は本発明を解釈するためのものであり、本発明を不当に限定するものではない。
【００３２】
【図１】本発明の実施例のセル合併方法の移動端末のハードウェアの構造ブロック図である。
【図２】本発明の実施例によるセル合併方法のフローチャートである。
【図３】本発明の実施例によるセル分割方法のフローチャートである。
【図４】本発明の実施例によるマルチセル合併・分割の場面の模式図である。
【図５】本発明の実施例によるマルチセルの動的合併方法のフローチャートである。
【図６】本発明の実施例によるマルチセルの動的分割方法のフローチャートである。
【図７】本発明の適用例によるマルチセル合併方法のフローチャートである。
【図８】本発明の実施例による合併セルの動的分割方法のフローチャートである。
【図９】本発明の実施例に係るセル合併装置の構造ブロック図である。
【図１０】本発明の実施例に係るセル合併装置の好ましい構造ブロック図１である。
【図１１】本発明の実施例に係るセル合併装置の好ましい構造ブロック図２である。
【図１２】本発明の実施例に係るセル合併装置の好ましい構造ブロック図３である。
【図１３】本発明の実施例に係るセル分割装置の構造ブロック図である。
【図１４】本発明の実施例に係るセル分割装置の好ましい構造ブロック図１である。
【図１５】本発明の実施例に係るセル分割装置の好ましい構造ブロック図２である。
【図１６】本発明の実施例に係る基地局の構造ブロック図である。
【発明を実施するための形態】
【００３３】
以下、図面および実施例を参照しながら本発明について詳細に説明する。なお、矛盾しない限り、本願における実施例と実施例における特徴は、互いに組み合わせることができる。
【００３４】
なお、本発明の明細書、特許請求の範囲、および上記図面における「第１」、「第２」等の用語は、類似する対象を区別するためのものであり、特定の順序または優先順位を記述するために用いるわけではない。
【００３５】
実施例１
本願の実施例１に係る方法実施例は、移動端末、コンピュータ端末または類似する演算装置で実行できる。セル機能を備える移動端末で動作することを例とし、図１は、本発明の実施例のセル合併方法の移動端末のハードウェアの構造ブロック図である。図１に示すように、移動端末１０は、１つまたは複数の（図１では１つのみが示される）プロセッサ１０２（プロセッサ１０２は、マイクロプロセッサＭＣＵまたはプログラマブルロジック機器ＦＰＧＡ等の処理装置を含んでもよいが、それらに限定されない）、データを記憶するように構成されるメモリ１０４、および通信機能として構成される伝送装置１０６を備えてもよい。当業者であれば、図１に示す構造は模式的なものに過ぎず、上記電子装置の構造を限定するものではないことが理解できる。例えば、移動端末１０は、図１に示すものよりもより多いまたはより少ない構成要素を備えてもよく、または図１に示すものと異なる構成を有してもよい。
【００３６】
メモリ１０４は、本発明の実施例におけるセル合併方法に対応するプログラム命令／モジュールのようなプリケーションのソフトウェアプログラムおよびモジュールを記憶するように構成されてもよく、プロセッサ１０２は、メモリ１０４に記憶されたソフトウェアプログラムおよびモジュールを動作することにより、様々な機能、アプリケーション、およびデータ処理を実行し、すなわち、上記方法を実現する。メモリ１０４は、高速ランダムメモリを含んでもよく、１つまたは複数の磁気記憶装置、フラッシュメモリ、または他の不揮発性固体メモリのような不揮発性メモリを更に含んでもよい。一部の実施例において、メモリ１０４は、プロセッサ１０２に対して遠隔的に設けられたメモリを更に含んでもよく、これらの遠隔メモリは、ネットワークを介して移動端末１０に接続することができる。上記ネットワークの実施例は、インターネット、イントラネット、ローカルエリアネットワーク、移動体通信網およびその組み合わせを含んでもよいが、それらに限定されない。
【００３７】
伝送装置１０６は、１つのネットワークを介してデータを受信または送信するように構成される。上記のネットワークの具体的な実施例は、移動端末１０の通信事業者によって提供される無線ネットワークを含んでもよい。一実施例において、伝送装置１０６は、基地局と他のネットワーク装置との接続によりインターネットと通信できる１つのネットワークアダプタ（Ｎｅｔｗｏｒｋ  Ｉｎｔｅｒｆａｃｅ  Ｃｏｎｔｒｏｌｌｅｒ、ＮＩＣと略称される）を備える。一実施例において、伝送装置１０６は、無線方式でインターネットと通信するように構成される無線周波数（Ｒａｄｉｏ  Ｆｒｅｑｕｅｎｃｙ、ＲＦと略称される）モジュールであってもよい。
【００３８】
本実施例において、上記移動端末またはネットワークアーキテクチャで動作するセル合併方法を提供し、図２は、本発明の実施例によるセル合併方法のフローチャートであり、図２に示すように、該フローは以下のステップを含む。
【００３９】
ステップＳ２０２において、第１セルから送信された、第１セルと第２セルとを合併することを指示するためのセル合併指示を受信する。
【００４０】
ステップＳ２０４において、セル合併指示に基づき、第２セルのセルパラメータを維持するとともに、第１セルのセルパラメータを維持する。
【００４１】
ステップＳ２０６において、第２セルがサーブしているユーザ機器ＵＥを第１の影セルに切り替え、切り替えられたＵＥの情報を第１セルに同期させる。ここで、第１の影セルは、第２セルが維持する、第１セルのセルパラメータを有するセルである。
【００４２】
ステップＳ２０８において、第２セルがサーブしている全てのＵＥを第１の影セルに切り替え、且つ切り替えられた全てのＵＥの情報が第１セルに同期されたことを確認すると、第２セルのセルパラメータの維持を停止する。
【００４３】
上記ステップにより、２つのセルは、合併されて１つの論理セルになり、同一周波数干渉が解消され、ネットワーク性能が向上し、切替中に、同時に切替前および切替後のサービスセルとすることで、切替前に接続されていたＵＥが解放されず、関連技術におけるマルチセルが合併中にＵＥを解放させ、ＵＥの状態およびトラフィックが確保できないという問題を効果的に解決し、マルチセルが合併中にＵＥを解放しないことを達成し、ＵＥの状態およびトラフィック効果を効果的に確保する。
【００４４】
セルの合併をより効率的にするために、第１セルによって第２セルが合併条件を満たすか否かを判断しやすく、すなわち、合併可能な第２セルを選別しやすくするために、第２セルは、第１セルに第２セルのセル状況をフィードバックしてもよい。例えば、第１セルから送信された、第１セルと第２セルとを合併することを指示するためのセル合併指示を受信する前に、第１セルから送信された、第１セルと第２セルとを合併することを要求するためのセル合併要求を受信し、第１セルに、第２セルのセル情報が担持されるセル合併応答を送信する。ここで、セル情報は、第２セルが第１セルとセル合併する合併条件を満たすか否かを、前記第１セルによって判断することに用いられる。
【００４５】
ここで、上記セル情報は、複数種を含んでもよく、例えば、第２セルがサーブしているＵＥの数、第２セルに所定のＵＥレベルを満たす高優先度ＵＥが存在するか否かを指示するための指示情報、および第２セルの、他のセルからの同一周波数干渉に影響される程度を表示するための情報の少なくとも１つを含んでもよい。
【００４６】
好ましくは、第１セルにセル合併応答を送信した後に、第１セルは、１つまたは複数の第２セルから送信されたセル合併応答に基づき、１つまたは複数の第２セルが第１セルと合併する所定の合併条件に満たすか否かを判断し、判断の結果が「ＹＥＳ」である場合、第１セルは、１つまたは複数の第２セルにセル合併指示を送信する。なお、第１セルは対応する判断操作を行うときに、上記第２セルの１つのセル情報と結び付けて判断してもよく、上記複数のセル情報と結び付けて判断してもよい。例えば、第２セルがサーブしているＵＥの数は所定のしきい値を超えたか否か、または、第１セルおよび第２セルがサーブしているＵＥの総数は所定のしきい値を超えたか否か、または、第２セルに所定のＵＥレベルを満たす高優先度ＵＥが存在するか否か、または、第２セルの同一周波数干渉の程度が所定の程度に達したか否かをそれぞれ判断してもよい。第２セルの複数の情報と結び付けて複数の第２セルが合併に適するか否かについて順位付け、上位の第２セルを優先的に選択して合併する。
【００４７】
好ましくは、第１セルから送信された、第１セルと第２セルとを合併することを要求するためのセル合併要求を受信する前に、第１セルによって、所定のＵＥレベルを満たす高優先度ＵＥが第１セルに入ったことと、第１セルの同一周波数干渉の程度が所定の程度に達したことと、第１セルがサーブしているＵＥの数は所定のしきい値を超えたことと、のうちのすくなくとも１つが合併トリガ条件として満たされたか否かを判断し、判断の結果が「ＹＥＳ」である場合、第２セルに第１セルと第２セルとを合併することを要求するためのセル合併要求を送信することを更に含む。
【００４８】
本発明の別の実施例によれば、セル分割方法を提供し、図３は、本発明の実施例によるセル分割方法のフローチャートであり、図３に示すように、該フローは以下のステップを含む。
【００４９】
ステップＳ３０２において、合併セルのプライマリセルポーションＣＰから送信された、セカンダリーＣＰを合併セルから分割することを要求するためのセル分割指示を受信する。
【００５０】
ステップＳ３０４において、セル分割指示に基づき、合併セルのセルパラメータを維持するとともに、合併セルから分割された分割セルのセルパラメータを維持する。
【００５１】
ステップＳ３０６において、セカンダリーＣＰがサーブしているユーザ機器ＵＥを第２の影セルに切り替える。ここで、第２の影セルは、セカンダリーＣＰが維持する、分割セルのセルパラメータを有するセルである。
【００５２】
ステップＳ３０８において、セカンダリーＣＰがサーブしている全てのＵＥを第２の影セルに切り替えた後に、合併セルのセルパラメータの維持を停止する。
【００５３】
上記ステップにより、合併セルを分割する時に、切替中に、同時に切替前および切替後のサービスセルとすることで、切替前に接続されていたＵＥが解放されず、関連技術におけるマルチセルが分割中にＵＥを解放させ、ＵＥの状態およびトラフィックが確保できないという問題を効果的に解決し、マルチセルが分割中にＵＥを解放しないことを達成し、ＵＥの状態およびトラフィック効果を効果的に確保する。
【００５４】
好ましくは、合併セルのプライマリＣＰから送信された、セカンダリーＣＰを合併セルから分割することを要求するためのセル分割指示を受信する前に、プライマリＣＰは、セカンダリーＣＰがサーブしているＵＥを確定し、且つ、確定されたセカンダリーＣＰがサーブしているＵＥの情報をセカンダリーＣＰに送信する。上記ステップにより、プライマリＣＰが切り替えようとするＵＥをセカンダリーＣＰに事前に通知することで、セカンダリーＣＰは、ＵＥの切り替えのために十分に準備することができる。
【００５５】
それに対応し、セル分割を行う前に、セル分割を行うことにいくつかのトリガ条件を設置してもよい。例えば、合併セルのプライマリＣＰから送信された、セカンダリーＣＰを合併セルから分割することを要求するためのセル分割指示を受信する前に、プライマリＣＰによって、所定のＵＥレベルを満たす高優先度ＵＥが合併セルから離れたことと、合併セルの同一周波数干渉の程度が所定の程度よりも低いことと、合併セルがサーブしているＵＥの数は所定のしきい値よりも低いことと、のうちのすくなくとも１つを分割トリガ条件として前記合併セルが満たしたか否かを判断し、判断の結果が「ＹＥＳ」である場合、セカンダリーＣＰにセカンダリーＣＰを合併セルから分割することを要求するためのセル分割指示を送信する。
【００５６】
なお、上記セル合併または分割の形態は、１つの基地局に対応するセルに適用してもよく、異なる基地局間のセルに適用してもよい。同じ基地局の内部に適用される場合、セル間で行われるインタラクション、例えば、セル合併・分割指示の送信、切り替え要求の送信、対応してセル合併・分割指示の受信、切り替え要求の受信は、必須ではない。異なる基地局間に適用される場合、セル間で行われるインタラクションは、基地局間の無線インタフェースリ源、または基地局間の物理的な接続により実現してもよく、必要に応じて確定してもよい。
【００５７】
上記実施例と結び付け、以下、セル合併・分割の具体的なシーンと結び付けて本発明の好ましい実施例について説明する。
【００５８】
関連技術におけるセル合併・分割技術が柔軟性欠如のことに対して、本発明の実施例は、マルチセルを動的に分割・合併するネットワーク構成のシーンに適用され、マルチセルの合併・分割がより柔軟性を有するようにし、且つ、セル合併・分割におけるＵＥのトラフィック状態をできるだけ保持するマルチセルの合併・分割の形態を提供する。
【００５９】
本発明の実施例に係るマルチセルの動的合併・分割方法は、ネットワーク性能をできるだけ向上させ、同一周波数干渉を解消するとともに、マルチセルの合併・分割時に生じるＵＥの異常解放を減少する。
【００６０】
図４は、本発明の実施例によるマルチセル合併・分割の場面の模式図であり、図４に示すように、それぞれセルＡ、セルＢ、セルＣ、セルＤ、セルＥである５つのセルを含む。
【００６１】
図４を参照しながら、本発明の実施例のマルチセルの動的合併・分割方法の大まかなフローは以下のとおりである。
【００６２】
図５は、本発明の実施例によるマルチセルの動的合併方法のフローチャートであり、図５に示すように、該マルチセルの動的合併方法は以下のようなステップを含む。
【００６３】
ステップＳ５０２において、イベントによりマルチセルの合併をトリガする。
【００６４】
ステップＳ５０４において、呼応セルは、本セルがサーブしているＵＥを発起セル（なお、ここで、「セル合併要求」を受信する通常のセルを「呼応セル」（すなわち、上記第２セル）と呼び、最初の「セル合併要求」を自発的に発起する通常のセルを「発起セル」（すなわち、上記第１セル）と呼ぶ）に切り替える。
【００６５】
ステップＳ５０６において、呼応セルと発起セルとをセル合併する。
【００６６】
図６は、本発明の実施例によるマルチセルの動的分割方法のフローチャートであり、図６に示すように、該マルチセルの動的分割方法は以下のようなステップを含む。
【００６７】
ステップＳ６０２において、イベントによりセル分割をトリガする。
【００６８】
ステップＳ６０４において、合併セルは、ターゲットＵＥを元の呼応セルに切り替える。
【００６９】
ステップＳ６０６において、合併セルを通常のセルに分割する。
【００７０】
上記大まかなフローに基づき、以下、本発明の実施例のマルチセルの動的合併およびマルチセルの動的分割についてそれぞれ説明する。
【００７１】
マルチセルの動的合併：
以下の説明において、最初の「セル合併要求」を自発的に発起するセルを「発起セル」と呼び、合併されるセルを「呼応セル」と呼ぶ。マルチセルの動的合併において、発起セルは１つのみあるが、呼応セルは複数あってもよく、具体的な数の上限は実際の適用シーンを考慮する必要がある。以下、マルチセルの動的合併方法についての説明は、１つの呼応セルを例とし、複数の呼応セルの合併方法が同じであるため、説明を省略する。
【００７２】
ステップ１：セル合併をトリガする。
セル合併モジュールは、イベントによりセル合併をトリガし、トリガイベントは、例えば、高優先度ＵＥの進入、セル容量が一定のしきい値に達したこと、同一周波数干渉がある程度に達したこと等である。セル合併をトリガするイベントは、１種または複数種の組み合わせであってもよく、具体的なトリガイベントは、本発明の実施例におけるイベントに限定されない。セル合併イベントがトリガされると、セル合併トリガモジュールは、発起セルになることを対応するセルに通知する。
【００７３】
ステップ２：発起セルが「セル合併要求」を発起する。
【００７４】
発起セルは、合併する必要のある呼応セルに「セル合併要求」を発起する。
【００７５】
ステップ３：呼応セルは発起セルに「セル合併応答」を返信する。
【００７６】
呼応セルは、発起セルからの「セル合併要求」を受信した後に、発起セルに「セル合併応答」を返信する。その中に、接続状態のユーザ数等のような呼応セルに関連するパラメータが担持される。
【００７７】
ステップ４：発起セルは、呼応セルを合併するか否かを判断する。
【００７８】
発起セルは、呼応セルが報告したユーザ数等の要因により、呼応セルが合併条件を満たすか否かを判断する。呼応セルが条件を満たさないと、呼応セルに「セル合併キャンセル指示」を送信し、呼応セルが合併条件を満たすと、発起セルは呼応セルに「セル合併指示」を発起し、且つ、発起セルのセルパラメータを担持する。本ステップの判断方式はステップ１におけるセル合併のトリガイベントに対応し、例えば、呼応セルのユーザ数はしきい値を超えたか否か、高優先度ＵＥが報告した呼応セルの測定と順位付け等を判断する。本ステップの判断方法は、１種または複数種の組み合わせであってもよく、上記方法に限定されない。
【００７９】
ステップ５：呼応セルは、２つの異なるセル信号を送信する。
【００８０】
呼応セルが「セル合併キャンセル指示」を受信すると、セル合併を行わずに元のセルパラメータを維持し続けて動作する。呼応セルが「セル合併指示」を受信すると、新しいユーザのアクセスの受け入れを停止し、発起セルと同じである参照信号（Ｒｅｆｅｒｅｎｃｅ  Ｓｉｇｎａｌ、ＲＳと略称される）、プライマリ同期信号（Ｐｒｉｍａｒｙ  Ｓｙｎｃｈｒｏｎｉｚａｔｉｏｎ  Ｓｉｇｎａｌ、ＰＳＳと略称される）、セカンダリー同期信号（Ｓｅｃｏｎｄａｒｙ  Ｓｙｎｃｈｒｏｎｉｚａｔｉｏｎ  Ｓｉｇｎａｌ、ＳＳＳと略称される）、マスターインフォメーションブロック（Ｍａｓｔｅｒ  Ｉｎｆｏｒｍａｔｉｏｎ  Ｂｌｏｃｋ、ＭＩＢと略称される）、システムインフォメーションブロック（Ｓｙｓｔｅｍ  Ｉｎｆｏｒｍａｔｉｏｎ  Ｂｌｏｃｋｓ、ＳＩＢと略称される）等の情報を送信するとともに、元のセル信号およびデータの送信も維持する。呼応セルは実際に２セットのセルパラメータを維持し、この時の呼応セルは１つのセルではなく、発起セルと呼応セルの共存である。本特許では、呼応セルが維持する発起セルを発起セルの影セルと呼び、以下、影セルと略称する。
【００８１】
ステップ６：呼応セルは、接続状態にあるユーザを影セルに切り替える。
【００８２】
呼応セルは、源セルとして影セルに切り替え要求を発起し、本セルの全てのＵＥをできるだけ影セルに切り替える。切り替え過程は、ＬＴＥプロトコルにおける規定に従って厳密に行われ、ここで、呼応セルがＵＥへ送信する再構成シグナリングには、プリアンブルインデクスおよび関連する無線パラメータが含まれ、ここで、具体的なシグナリングフォーマットは、ＬＴＥ３６．３３１の６．３．４節を参照することができる。呼応セルは、ＵＥにノンコンテンションの切り替え要求を優先的に発起し、ｐｒｅａｍｂｌｅリ源が足りない場合、コンテンションの切り替え要求を発起する。
【００８３】
ステップ７：影セルが合併セルの１つのＣＰとなる。
【００８４】
影セルは、切り替えが完了したＵＥ情報を発起セルに同期させ、呼応セルが最後のＵＥに切り替え要求を送信すると、自体のセルパラメータをバックアップし、発起セルに「セル合併終了指示」を送信し、且つ、呼応セルのいずれかの信号およびデータの送信を停止する。この時、呼応セルはサービスを脱退し、影セルは合併セルの１つのセカンダリーＣＰとなり、プライマリＣＰは発起セルとなる。セカンダリーＣＰは、プライマリＣＰの制御に基づいてデータを復調し、新しいユーザの接続要求に応答する。
【００８５】
合併セルの動的分割
以下の記述では、２つのＣＰの合併セルを分割することを例として説明し、２つのＣＰよりも多い合併セルの分割ポリシーは同じであり、説明を省略する。
【００８６】
ステップ１：セル分割をトリガする。
【００８７】
該ステップは、マルチセルの動的合併におけるステップ１と類似する。合併セルの分割イベントがトリガされると、セル分割トリガモジュールは、「セル分割要求」を発起するようにプライマリＣＰを通知する。
【００８８】
ステップ２：プライマリＣＰは「セル分割要求」を発起する。
【００８９】
プライマリＣＰは、セカンダリーＣＰに「セル分割要求」を発起するとともに、合併セルは新しいＵＥのアクセス要求の応答を停止する。プライマリＣＰは、各ＵＥのために維持されるアクティブセットに基づき、ＵＥレベルのプライマリＣＰがセカンダリーＣＰでありかつ単一のＣＰによってアクティブされたターゲットＵＥを選別し、これらのターゲットＵＥの関連するパラメータを対応するセカンダリーＣＰに送信する。
【００９０】
ステップ３：セカンダリーＣＰは２つの異なるセル信号を送信する。
【００９１】
セカンダリーＣＰがプライマリＣＰによって発起された「セル分割要求」を受信すると、元の呼応セルと同じであるＲＳ、ＰＳＳ、ＳＳＳ、ＭＩＢ、ＳＩＢ等の情報を送信するとともに、合併セル信号およびデータの送信も維持する。この段階において、セカンダリーＣＰは実際に２セットのセルパラメータを維持し、この時のセカンダリーＣＰは合併セルと呼応セルの共存である。
【００９２】
ステップ４：合併セルは、ターゲットＵＥを呼応セルに切り替える。
【００９３】
合併セルは源セルとして呼応セルに切り替え要求を発起し、本セルの全てのターゲットＵＥをできるだけ呼応セルに切り替える。この切り替え過程はマルチセルの動的合併におけるステップ６と同じである。
【００９４】
ステップ５：合併セルを通常のセルに分割する。
【００９５】
合併セルが最後のターゲットＵＥに切り替え要求を送信すると、セカンダリーＣＰは、合併セルのいずれかの信号およびデータを送信しない。この時、セカンダリーＣＰはサービスを脱退し、セカンダリーＣＰおよびプライマリＣＰは、改めて通常のセルになり、元のセルパラメータに従って参照信号を送信し、データを復調し、新しいユーザの接続要求に応答する。
【００９６】
上記実施例により、関連技術におけるセル合併技術と比べ、上記マルチセルの合併・分割方法は、更なる柔軟性、リアルタイム性を有するとともに、関連技術におけるマルチセルの合併・分割がＵＥのトラフィック状態を確保できないという問題を解決した。
【００９７】
上記実施例と結び付け、以下、具体的なシーンと結び付け、マルチセルの合併・分割方法の適用例についてそれぞれ説明する。
【００９８】
なお、衝突しない限り、本発明における実施例および実施例における特徴は、互いに組み合わせることができる。
【００９９】
以下、図面および適用例を参照しながら、本発明を詳細に説明する。なお、適用例１および２は、高優先度ＵＥが入る・離れる際にトリガしたセル合併・分割のシーンに適用されるものに過ぎず、このような適用シーンに限定されるものではない。
【０１００】
適用例１
図７は、本発明の適用例によるマルチセル合併方法のフローチャートであり、図７に示すように、該フローは以下のようなステップを含む。
【０１０１】
シーンの説明：高優先度ＵＥが複数階の密集した同一周波数セルに入る場面である。
【０１０２】
Ｓ１、高優先度ＵＥがＣＥＬＬ  Ａにアクセスし、ＩＭＳＩ識別技術によりＣＥＬＬ  Ａが高優先度ＵＥを識別する。
【０１０３】
Ｓ２、ＣＥＬＬ  Ａは、事前に配置された隣接セルに基づき、高優先度ＵＥに測定対象、測定イベントおよび測定報告を含む再構成シグナリングを発する。本特許の適用例において、ＣＥＬＬ  Ａは高優先度ＵＥにＡ４イベントを発する。
【０１０４】
Ａ４イベントの意味は、隣接セルが絶対的なしきい値よりも良いことであり、その式は以下のとおりである。
【０１０５】
［式１]
Ｍｎ＋Ｏｆｎ＋Ｏｃｎ−Ｈｙｓ＞Ｔｈｒｅｓｈ
【０１０６】
上式のパラメータの意味および適用例は以下のとおりである。
【０１０７】
Ｍｎは、隣接セルのＲＳＲＰ（Ｒｅｆｅｒｅｎｃｅ  Ｓｉｇｎａｌ  Ｒｅｃｅｉｖｅｄ  Ｐｏｗｅｒ、参照信号受信電力）の測定結果である。
【０１０８】
Ｔｈｒｅｓｈは、Ａ４イベントのしきい値パラメータであり、適用例では−１００ｄｂに設定される。
【０１０９】
Ｏｆｎは、隣接セル周波数の特定の偏差であり、適用例では０ｄｂに設定される。
【０１１０】
Ｏｃｎは、隣接セルのパーソナリティオフセットであり、ターゲットセルの優先度を制御するために用いられ、適用例では０ｄｂに設定される。
【０１１１】
Ｈｙｓは、Ａ４イベントのヒステリシスパラメータであり、適用例では０ｄｂに設定される。
【０１１２】
Ａ４測定報告において、以下を更に配置する必要がある。
【０１１３】
ＴｉｍｅＴｏＴｒｉｇｇｅｒは、イベントが発生してから報告されるまでの時間差であり、適用例では３２０ｍｓに設定される。
【０１１４】
ｍａｘＣｅｌｌＲｅｐｏｒｔは、報告された隣接セルの数であり、適用例では８である。
【０１１５】
ＲｅｐｏｒｔＩｎｔｅｒｖａｌは、イベントトリガ周期報告の間隔であり、適用例では１０２４ｍｓである。
【０１１６】
ＲｅｐｏｒｔＡｍｏｕｎｔは、イベントトリガ周期報告の回数であり、適用例では４回である。
【０１１７】
Ｓ３において、高優先度ＵＥは移動過程において、Ｓ２における配置に基づき、Ａ４時間をトリガし、且つ、イベントの持続中に測定報告を連続して複数回報告する。
【０１１８】
Ｓ４において、ＣＥＬＬ  Ａは、高優先度ＵＥが報告したＡ４測定報告を３回連続して受信し、報告された隣接セルをＲＳＲＰで順位付け、順位付けられた前の５つの隣接呼応セルに「セル合併要求」を発起する。
【０１１９】
Ｓ５において、呼応セルＣＥＬＬ  Ｂが「セル合併要求」を受信すると、本セルのＵＥの数等の情報を「小さい合併応答」にパッケージしてＣＥＬＬ  Ａに送信する。
【０１２０】
Ｓ６において、ＣＥＬＬ  ＡがＣＥＬＬ  Ｂ等の複数の呼応セルの「セル合併応答」を受信すると、ＣＥＬＬ  Ａ内のＵＥの数と全ての呼応セルのＵＥの数との総和が合併後のセルの最大のＵＥ容量数を超えるか否かを計算する。超えれば、隣接呼応セルの順位に基づき、残りの呼応セルＵＥの数の総和が条件を満たすまで、順位が後ろの呼応セルから間引き始める。間引かれた呼応セルに「セル合併キャンセル指示」を送信し、条件を満たしている呼応セルに「セル合併指示」を送信する。
【０１２１】
Ｓ７において、適用例ではＣＥＬＬ  Ｂセルが「セル合併指示」を受信したと仮定すると、自体のセルパラメータを直ちにバックアップし、新しいＵＥのアクセス要求の処理を停止する。それと同時に、ＣＥＬＬ  Ｂは、元のセル信号を送信するとともに、ＣＥＬＬ  Ａセルの信号、つまり、影セルＣＥＬＬ  Ａ’の信号を送信し始める。
【０１２２】
Ｓ８において、ＬＴＥプロトコルの約束に従い、ＣＥＬＬ  Ｂ本セル内のＵＥをＣＥＬＬ  Ａ’に切り替える。
【０１２３】
Ｓ９において、ＣＥＬＬ  Ａ’は、切り替えが完了した各ＵＥの関連情報をＣＥＬＬ  Ａに同期させる。
【０１２４】
Ｓ１０において、ＣＥＬＬ  Ｂがセル内の最後のＵＥに切り替え要求を送信すると、ＣＥＬＬ  Ａに「セル合併終了指示」を送信し、ＣＥＬＬ  Ｂに関する信号およびデータを送信しない。
【０１２５】
Ｓ１１において、ＣＥＬＬ  Ａは、ＣＥＬＬ  Ｂから送信された「セル合併終了指示」を受信して合併の終了を確認し、ＣＥＬＬ  Ａ’は合併セルのセカンダリーＣＰとなり、ＣＥＬＬ  Ａは合併セルのプライマリＣＰとなり、合併セル内の全てのＵＥを維持してスケジューリングする。
【０１２６】
適用例２
図８は、本発明の実施例による合併セルの動的分割方法のフローチャートであり、図８に示すように、該フローは以下のようなステップを含む。
【０１２７】
シーンの説明：高優先度ＵＥが合併セルから離れる。
【０１２８】
Ｓ１において、高優先度ＵＥが合併セルから他のセルに切り替えられると、合併セルは、新しいＵＥのアクセス要求の処理を停止し、且つ、上りアクティブセットに基づき、ＣＰ  ＢをＵＥレベルのプライマリＣＰとしてかつ単一のＣＰによってアクティブされたターゲットＵＥを分割する。プライマリＣＰ  ＡはＣＰ  Ｂに「セル分割要求」を発起し、その中にＣＰ  ＢのターゲットＵＥに関連するパラメータが担持される。
【０１２９】
Ｓ２において、セカンダリーＣＰ  Ｂが「セル分割要求」を受信すると、ＣＰ  Ｂは合併セル信号を送信するとともに、元の呼応セルＣＥＬＬ  Ｂの信号を送信する。
【０１３０】
Ｓ３において、ＬＴＥプロトコルの約束に従い、ＣＰ  ＢはターゲットＵＥを呼応セルに切り替える。
【０１３１】
Ｓ４において、ＣＰ  Ｂが最後のターゲットＵＥに切り替え要求を送信すると、ＣＰ  Ａに「セル分割終了指示」を送信し、その後、サービスを直ちに停止し、呼応セルの信号のみを送信する。この時、ＣＰ  Ｂは既にサービスを脱退し、改めてＣＥＬＬ  Ｂになり、新しいＵＥのアクセス要求を受け入れ始める。
【０１３２】
関連技術に対し、上記適用例に係るセル合併・分割はより柔軟で、リアルタイム性を有し、ＵＥのセル分割・合併過程におけるトラフィックおよび状態をできるだけ確保する。
【０１３３】
以上の実施形態の説明により、当業者は、上記実施例による方法が、ソフトウェアに必要な汎用ハードウェアプラットフォームの方式で実現できることを明らかに理解でき、もちろん、ハードウェアによっても実現できるが、多くの場合、前者はより好ましい実施形態である。このような理解に基づき、本発明の技術形態は、本質的に、または従来技術に貢献した部分が、ソフトウェア製品の形式で具現化することができ、該コンピュータソフトウェア製品は、１台の端末装置（携帯電話機、コンピュータ、サーバ、またはネットワーク機器等）に本発明の各実施例の方法を実行させる複数の命令を含む１つの記憶媒体（例えば、ＲＯＭ／ＲＡＭ、磁気ディスク、光ディスク）に記憶される。
【０１３４】
実施例２
本実施例において、上記実施例および好ましい実施形態を実現するように構成されるセル合併装置を更に提供し、既に説明した内容を省略する。以下に使用するように、「モジュール」という用語は、所定の機能のソフトウェアおよび／またはハードウェアの組み合わせを実現することができる。以下の実施例で説明する装置はソフトウェアで実現することが好ましいが、ハードウェア、またはソフトウェアとハードウェアとの組み合わせで実現することも可能で構想される。
【０１３５】
図９は、本発明の実施例に係るセル合併装置の構造ブロック図であり、図９に示すように、該装置は、第１の受信モジュール９２と、第１の維持モジュール９４と、第１の切替モジュール９６と、第１の停止モジュール９８とを備え、以下、該装置について説明する。
【０１３６】
第１の受信モジュール９２は、第１セルから送信された、第１セルと第２セルとを合併することを指示するためのセル合併指示を受信するように構成される。第１の維持モジュール９４は、上記第１の受信モジュール９２に接続され、セル合併指示に基づき、第２セルのセルパラメータを維持するとともに、第１セルのセルパラメータを維持するように構成される。第１の切替モジュール９６は、上記第１の維持モジュール９４に接続され、第２セルがサーブしているユーザ機器ＵＥを第１の影セルに切り替え、切り替えられたＵＥの情報を第１セルに同期させるように構成される。ここで、第１の影セルは、第２セルが維持する、第１セルのセルパラメータを有するセルである。第１の停止モジュール９８は、上記第１の切替モジュール９６に接続され、第２セルがサーブしている全てのＵＥを第１の影セルに切り替え、且つ切り替えられた全てのＵＥの情報が第１セルに同期されたことを確認すると、第２セルのセルパラメータの維持を停止するように構成される。
【０１３７】
図１０は、本発明の実施例に係るセル合併装置の好ましい構造ブロック図１であり、図１０に示すように、該装置は、図９に示す全ての構造に加え、第２の受信モジュール１０２および第１の送信モジュール１０４を更に備え、以下、該好ましい構造について説明する。
【０１３８】
第２の受信モジュール１０２は、第１セルから送信された、第１セルと第２セルとを合併することを要求するためのセル合併要求を受信するように構成される。第１の送信モジュール１０４は、上記第２の受信モジュール１０２および第１の受信モジュール９２に接続され、第１セルに、第２セルのセル情報が担持されるセル合併応答を送信するように構成される。ここで、セル情報は、第２セルが第１セルとセル合併する併条件を満たすか否かを、第１セルによって判断することに用いられる。
【０１３９】
図１１は、本発明の実施例に係るセル合併装置の好ましい構造ブロック図２であり、図１１に示すように、該装置は、図１０に示す全ての構造に加え、第１の判断モジュール１１２を更に備え、以下、該第１の判断モジュール１１２について説明する。
【０１４０】
第１の判断モジュール１１２は、第１の送信モジュール１０４および第１の受信モジュール９２と通信し、第１セルは、１つまたは複数の第２セルから送信されたセル合併応答に基づき、１つまたは複数の第２セルが第１セルと合併する所定の合併条件に満たすか否かを判断し、判断の結果が「ＹＥＳ」である場合、第１セルは、１つまたは複数の第２セルにセル合併指示を送信するように構成される。
【０１４１】
図１２は、本発明の実施例に係るセル合併装置の好ましい構造ブロック図３であり、図１２に示すように、該装置は、図１０に示す全ての構造に加え、第２の判断モジュール１２２を更に備え、以下、該第１の判断モジュール１２２について説明する。
【０１４２】
第２の判断モジュール１２２は、第１の受信モジュール９２と通信し、第１セルによって、所定のＵＥレベルを満たす高優先度ＵＥが第１セルに入ったことと、第１セルの同一周波数干渉の程度が所定の程度に達したことと、第１セルがサーブしているＵＥの数は所定のしきい値を超えたことと、のうちのすくなくとも１つが合併トリガ条件として満たされたか否かを判断し、判断の結果が「ＹＥＳ」である場合、第２セルに第１セルと第２セルとを合併することを要求するためのセル合併要求を送信するように構成される。
【０１４３】
図１３は、本発明の実施例に係るセル分割装置の構造ブロック図であり、図１３に示すように、該装置は、第３の受信モジュール１３２と、第２の維持モジュール１３４と、第２の切替モジュール１３６と、第２の停止モジュール１３８とを備え、以下、該装置について説明する。
【０１４４】
第３の受信モジュール１３２は、合併セルのプライマリセルポーションＣＰから送信された、セカンダリーＣＰを合併セルから分割することを要求するためのセル分割指示を受信するように構成される。第２の維持モジュール１３４は、上記第３の受信モジュール１３２に接続され、セル分割指示に基づき、合併セルのセルパラメータを維持するとともに、合併セルから分割された分割セルのセルパラメータを維持するように構成される。第２の切替モジュール１３６は、上記第２の維持モジュール１３４に接続され、セカンダリーＣＰがサーブしているユーザ機器ＵＥを第２の影セルに切り替えるように構成される。ここで、第２の影セルは、セカンダリーＣＰが維持する、分割セルのセルパラメータを有するセルである。第２の停止モジュール１３８は、上記第２の切替モジュール１３６に接続され、セカンダリーＣＰがサーブしている全てのＵＥを第２の影セルに切り替えた後に、合併セルのセルパラメータの維持を停止するように構成される。
【０１４５】
図１４は、本発明の実施例に係るセル分割装置の好ましい構造ブロック図１であり、図１４に示すように、該装置は、図１３に示す構造に加え、第２の送信モジュール１４２を更に備え、以下、該第２の送信モジュール１４２について説明する。
【０１４６】
第２の送信モジュール１４２、第３の受信モジュール１３２と通信し、プライマリＣＰはセカンダリーＣＰがサーブしているＵＥを確定し、確定されたセカンダリーＣＰがサーブしているＵＥの情報をセカンダリーＣＰに送信するように構成される。
【０１４７】
図１５は、本発明の実施例に係るセル分割装置の好ましい構造ブロック図２であり、図１５に示すように、該装置は、図１３に示す構造に加え、第３の判断モジュール１５２を更に備え、以下、該第３の判断モジュール１５２について説明する。
【０１４８】
第３の判断モジュール１５２は、第３の受信モジュール１３２と通信し、プライマリＣＰよって、所定のＵＥレベルを満たす高優先度ＵＥが合併セルから離れたことと、合併セルの同一周波数干渉の程度が所定の程度よりも低いことと、合併セルがサーブしているＵＥの数は所定のしきい値よりも低いことと、のうちのすくなくとも１つを分割トリガ条件として前記合併セルが満たしたか否かを判断し、判断の結果が「ＹＥＳ」である場合、セカンダリーＣＰにセカンダリーＣＰを合併セルから分割することを要求するためのセル分割指示を送信するように構成される。
【０１４９】
図１６は、本発明の実施例に係る基地局の構造ブロック図であり、図１６に示すように、該基地局１６０は、上記いずれか１項に記載のセル合併装置１６２および／または上記いずれか１項に記載のセル分割装置１６４を備える。
【０１５０】
なお、上記各モジュールは、ソフトウェアまたはハードウェアで実現でき、後者については、上記モジュールがいずれも同一プロセッサに位置する方式、または、上記各モジュールが任意の組み合わせの形式で異なるプロセッサにそれぞれ位置する方式で実現できるが、これらに限定されない。
【０１５１】
本発明の実施例は記憶媒体を更に提供する。好ましくは、本実施例において、上記記憶媒体は、以下のステップを実行するためのプログラムコードを記憶するように構成されてもよい。
【０１５２】
Ｓ１において、第１セルから送信された、第１セルと第２セルとを合併することを指示するためのセル合併指示を受信する。
【０１５３】
Ｓ２において、セル合併指示に基づき、第２セルのセルパラメータを維持するとともに、第１セルのセルパラメータを維持する。
【０１５４】
Ｓ３において、第２セルがサーブしているユーザ機器ＵＥを第１の影セルに切り替え、切り替えられたＵＥの情報を第１セルに同期させる。ここで、第１の影セルは第２セルが維持する、第１セルのセルパラメータを有するセルである。
【０１５５】
Ｓ４において、第２セルがサーブしている全てのＵＥを第１の影セルに切り替え、且つ切り替えられた全てのＵＥの情報が第１セルに同期されたことを確認すると、第２セルのセルパラメータの維持を停止する。
【０１５６】
好ましくは、記憶媒体は、更に、以下のステップを実行するためのプログラムコードを記憶するように構成される。
【０１５７】
第１セルから送信された、第１セルと第２セルとを合併することを指示するためのセル合併指示を受信する前に、更に以下のステップを含む。
【０１５８】
Ｓ１において、第１セルから送信された、第１セルと第２セルとを合併することを要求するためのセル合併要求を受信する。
【０１５９】
Ｓ２において、第１セルに、第２セルのセル情報が担持されるセル合併応答を送信する。ここで、セル情報は、第２セルが第１セルとセル合併する合併条件を満たすか否かを、第１セルによって判断することに用いられる。
【０１６０】
好ましくは、記憶媒体は、更に、以下のステップを実行するためのプログラムコードを記憶するように構成される。
【０１６１】
Ｓ１において、セル情報は、第２セルがサーブしているＵＥの数、第２セルに所定のＵＥレベルを満たす高優先度ＵＥが存在するか否かを指示するための指示情報、および第２セルの、他のセルからの同一周波数干渉に影響される程度を表示するための情報の少なくとも１つを含む。
【０１６２】
好ましくは、記憶媒体は、更に、以下のステップを実行するためのプログラムコードを記憶するように構成される。
【０１６３】
第１セルにセル合併応答を送信した後に、以下のステップを更に含む。
【０１６４】
Ｓ１において、第１セルは、１つまたは複数の第２セルから送信されたセル合併応答に基づき、１つまたは複数の第２セルが第１セルと合併する所定の合併条件に満たすか否かを判断し、判断の結果が「ＹＥＳ」である場合、第１セルは、１つまたは複数の第２セルにセル合併指示を送信する。
【０１６５】
好ましくは、記憶媒体は、更に、以下のステップを実行するためのプログラムコードを記憶するように構成される。
【０１６６】
第１セルから送信された、第１セルと第２セルとを合併することを要求するためのセル合併要求を受信する前に、以下のステップを更に含む。
【０１６７】
Ｓ１において、第１セルによって、所定のＵＥレベルを満たす高優先度ＵＥが第１セルに入ったことと、第１セルの同一周波数干渉の程度が所定の程度に達したことと、第１セルがサーブしているＵＥの数は所定のしきい値を超えたことと、のうちのすくなくとも１つが合併トリガ条件として満たされたか否かを判断し、判断の結果が「ＹＥＳ」である場合、第２セルに第１セルと第２セルとを合併することを要求するためのセル合併要求を送信する。
【０１６８】
本発明の更なる実施例によれば、記憶媒体を更に提供する。該記憶媒体は、以下のステップを実行するためのプログラムコードを記憶するように構成される。
【０１６９】
Ｓ１において、合併セルのプライマリセルポーションＣＰから送信された、セカンダリーＣＰを合併セルから分割することを要求するためのセル分割指示を受信する。
【０１７０】
Ｓ２において、セル分割指示に基づき、合併セルのセルパラメータを維持するとともに、合併セルから分割された分割セルのセルパラメータを維持する。
【０１７１】
Ｓ３において、セカンダリーＣＰがサーブしているユーザ機器ＵＥを第２の影セルに切り替える。ここで、第２の影セルは、セカンダリーＣＰが維持する、分割セルのセルパラメータを有するセルである。
【０１７２】
Ｓ４において、セカンダリーＣＰがサーブしている全てのＵＥを第２の影セルに切り替えた後に、合併セルのセルパラメータの維持を停止する。
【０１７３】
好ましくは、記憶媒体は、更に、以下のステップを実行するためのプログラムコードを記憶するように構成される。
【０１７４】
合併セルのプライマリＣＰから送信された、セカンダリーＣＰを合併セルから分割することを要求するためのセル分割指示を受信する前に、以下のステップを更に含む。
【０１７５】
Ｓ１において、プライマリＣＰはセカンダリーＣＰがサーブしているＵＥを確定し、確定されたセカンダリーＣＰがサーブしているＵＥの情報をセカンダリーＣＰに送信する。
【０１７６】
好ましくは、記憶媒体は、更に、以下のステップを実行するためのプログラムコードを記憶するように構成される。
【０１７７】
合併セルのプライマリＣＰから送信された、セカンダリーＣＰを合併セルから分割することを要求するためのセル分割指示を受信する前に、以下のステップを更に含む。
【０１７８】
Ｓ１において、プライマリＣＰによって、所定のＵＥレベルを満たす高優先度ＵＥが合併セルから離れたことと、合併セルの同一周波数干渉の程度が所定の程度よりも低いことと、合併セルがサーブしているＵＥの数は所定のしきい値よりも低ことと、のうちのすくなくとも１つを分割トリガ条件として前記合併セルが満たしたか否かを判断し、判断の結果が「ＹＥＳ」である場合、セカンダリーＣＰにセカンダリーＣＰを合併セルから分割することを要求するためのセル分割指示を送信する。
【０１７９】
好ましくは、本実施例において、上記記憶媒体は、ＵＳＢ、読み出し専用メモリ（Ｒｅａｄ−ＯｎｌｙＭｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、リムーバブルハードディスク、磁気ディスク、または光ディスク等の様々なプログラムコードが記憶可能な媒体を含んでもよいが、それらに限定されない。
【０１８０】
好ましくは、本実施例において、プロセッサは、記憶媒体に記憶されたプログラムコードに基づき、第１セルから送信された第１セルと第２セルとを合併することを指示するためのセル合併指示を受信することと、セル合併指示に基づき、第２セルのセルパラメータを維持するとともに、第１セルのセルパラメータを維持することと、第２セルがサーブしているユーザ機器ＵＥを第１の影セルに切り替え、切り替えられたＵＥの情報を第１セルに同期させることと、第２セルがサーブしている全てのＵＥを第１の影セルに切り替え、且つ切り替えられた全てのＵＥの情報が第１セルに同期されたことを確認すると、第２セルのセルパラメータの維持を停止することとを実行する。ここで、第１の影セルは、第２セルが維持する、第１セルのセルパラメータを有するセルである。
【０１８１】
好ましくは、本実施例において、プロセッサは、記憶媒体に記憶されたプログラムコードに基づき、第１セルから送信された第１セルと第２セルとを合併することを指示するためのセル合併指示を受信する前に、第１セルから送信された第１セルと第２セルとを合併することを要求するためのセル合併要求を受信することと、第１セルに、第２セルのセル情報が担持されるセル合併応答を送信することとを実行する。ここで、セル情報は、第２セルが第１セルとセル合併する合併条件を満たすか否かを、第１セルによって判断することに用いられる。
【０１８２】
好ましくは、本実施例において、プロセッサは、記憶媒体に記憶されたプログラムコードに基づき、第２セルがサーブしているＵＥの数、第２セルに所定のＵＥレベルを満たす高優先度ＵＥが存在するか否かを指示するための指示情報、および第２セルの第２セル以外の他のセルから同一周波数干渉を受ける干渉の程度を識別するための情報の少なくとも１つをセル情報に含ませることを実行する。
【０１８３】
好ましくは、本実施例において、プロセッサは、記憶媒体に記憶されたプログラムコードに基づき、第１セルにセル合併応答を送信した後に、第１セルによって、１つまたは複数の第２セルから送信されたセル合併応答に基づき、１つまたは複数の第２セルが第１セルと合併する所定の合併条件に満たすか否かを判断し、判断の結果が「ＹＥＳ」である場合、第１セルによって、１つまたは複数の第２セルにセル合併指示を送信することを実行する。
【０１８４】
好ましくは、本実施例において、プロセッサは、記憶媒体に記憶されたプログラムコードに基づき、第１セルから送信された第１セルと第２セルとを合併することを要求するためのセル合併要求を受信する前に、第１セルによって、所定のＵＥレベルを満たす高優先度ＵＥが第１セルに入ったことと、第１セルの同一周波数干渉の程度が所定の程度に達したことと、第１セルがサーブしているＵＥの数は所定のしきい値を超えたことと、のうちのすくなくとも１つが合併トリガ条件として満たされたか否かを判断し、判断の結果が「ＹＥＳ」である場合、第２セルに第１セルと第２セルとを合併することを要求するためのセル合併要求を送信することを実行する。
【０１８５】
本発明の更なる実施例によれば、プロセッサを更に提供する。該プロセッサは、記憶媒体に記憶されたプログラムコードに基づき、合併セルのプライマリセルポーションＣＰから送信された、セカンダリーＣＰを合併セルから分割することを要求するためのセル分割指示を受信することと、セル分割指示に基づき、合併セルのセルパラメータを維持するとともに、合併セルから分割された分割セルのセルパラメータを維持することと、セカンダリーＣＰがサーブしているユーザ機器ＵＥを第２の影セルに切り替えることと、セカンダリーＣＰがサーブしている全てのＵＥを第２の影セルに切り替えた後に、合併セルのセルパラメータの維持を停止することとを実行する。ここで、第２の影セルは、セカンダリーＣＰが維持する、分割セルのセルパラメータを有するセルである。
【０１８６】
好ましくは、本実施例において、プロセッサは、記憶媒体に記憶されたプログラムコードに基づき、合併セルのプライマリＣＰから送信された、セカンダリーＣＰを合併セルから分割することを要求するためのセル分割指示を受信する前に、プライマリＣＰはセカンダリーＣＰがサーブしているＵＥを確定し、確定されたセカンダリーＣＰがサーブしているＵＥの情報をセカンダリーＣＰに送信することを実行する。
【０１８７】
好ましくは、本実施例において、プロセッサは、記憶媒体に記憶されたプログラムコードに基づき、合併セルのプライマリＣＰから送信された、セカンダリーＣＰを合併セルから分割することを要求するためのセル分割指示を受信する前に、プライマリＣＰによって、所定のＵＥレベルを満たす高優先度ＵＥが合併セルから離れたことと、合併セルの同一周波数干渉の程度が所定の程度よりも低いことと、合併セルがサーブしているＵＥの数は所定のしきい値よりも低いことと、のうちのすくなくとも１つを分割トリガ条件として前記合併セルが満たしたか否かを判断し、判断の結果が「ＹＥＳ」である場合、セカンダリーＣＰにセカンダリーＣＰを合併セルから分割することを要求するためのセル分割指示を送信することを実行する。
【０１８８】
好ましくは、本実施例における具体的な例は、上記実施例およびオプション的な実施形態に記述された例を参照することができ、本実施例はここで説明を省略する。
【０１８９】
明らかに、当業者であれば、上記の本発明の各モジュールまたは各ステップは、汎用の計算装置で実現でき、それらは単一の計算装置に集中してもよいし、複数の計算装置で構成されるネットワークに分布されてもよい。好ましくは、それらは計算装置が実行可能なプログラムコードで実現でき、それにより、それらを記憶装置に記憶して計算装置で実行することができ、且つ、場合によって、ここでの順序と異なる順序で示されたまたは説明されたステップを実行し、またはそれらをそれぞれ各集積回路モジュールに作製し、またはそれらのうちの複数のモジュールまたはステップを単一の集積回路モジュールに作製して実現できることは理解すべきである。このように、本発明は任意の特定のハードウェアとソフトウェアとの組み合わせに限定されない。
【０１９０】
以上は本発明の好ましい実施例に過ぎず、本発明を限定するものではない。当業者にとって、本発明は様々な変更や変化が可能である。本発明の精神および原則内で行われたいかなる修正、均等な置換、改良等は、全て本発明の保護範囲内に含まれるべきである。
【産業上の利用可能性】
【０１９１】
上述したように、本発明の実施例に係るセル合併・分割方法、装置、および基地局は、関連技術におけるマルチセルが合併・分割過程においてＵＥを解放し、ＵＥの状態およびトラフィックが確保できないという問題を解決し、できるだけ多くのＵＥが最適な状態およびトラフィックに達する効果が達成したという有益な効果を有する。
【図１】
2019533370.tif 000003
【図２】
2019533370.tif 000004
【図３】
2019533370.tif 000005
【図４】
2019533370.tif 000006
【図５】
2019533370.tif 000007
【図６】
2019533370.tif 000008
【図７】
2019533370.tif 000009
【図８】
2019533370.tif 000010
【図９】
2019533370.tif 000011
【図１０】
2019533370.tif 000012
【図１１】
2019533370.tif 000013
【図１２】
2019533370.tif 000014
【図１３】
2019533370.tif 000015
【図１４】
2019533370.tif 000016
【図１５】
2019533370.tif 000017
【図１６】
2019533370.tif 000018
【国際調査報告】
2019533370.tif 000019
2019533370.tif 000020
2019533370.tif 000021
2019533370.tif 000022